(57)【特許請求の範囲】
【請求項１】
器体に露設された複数の電源側端子および複数の負荷側端子を有し、電源側端子と負荷側端子との間の各電路にそれぞれ介挿された複数の接点部が器体内に収納されるとともに、接点部を開閉操作可能なハンドルが器体の前面側に露設され、分電盤内に配設される回路遮断器であって、前記負荷側端子は、前記器体から一体に突出する形で配置され、且つ、分電盤内の内器の電路として用いる導電バーとの接続部を有し、前記各負荷側端子は、前記電源側端子と前記ハンドルとの配列方向が上下方向となり前記ハンドルの操作方向が当該上下方向に沿うように前記分電盤内に配設したときに前記器体において前記導電バーの長手方向に直交する一側面から突出されてなり、前記器体は、前記一側面に沿って形成され且つ前記電源側端子および前記接点部から隔壁により隔離された収納部を有し、前記負荷側端子の一部が前記収納部に収納されてなり、前記負荷側端子と前記各接点部とをそれぞれ電気的に接続する複数の被覆電線を備え、前記各被覆電線は前記収納部に収納されてなり、前記電源側端子と前記負荷側端子と前記接点部との組が３組設けられ、前記各負荷側端子の各接続部は、正面視において前記電源側端子の並設方向に直交する方向に並設され、且つ、前記器体の前方向を高さ方向とするとき正面視において隣り合う接続部が異なる高さ位置に配設されてなり、前記電源側端子の並設方向において中央に配設された電源側端子に対応付けされた負荷側端子の接続部は、前記負荷側端子の並設方向における中央の位置であって前記高さ方向における第１の高さ位置に配設され、前記電源側端子の並設方向において両側に配設された電源側端子にそれぞれ対応付けされた各負荷側端子の接続部は、前記負荷側端子の並設方向における両側の位置であって前記高さ方向における第１の高さ位置よりも低い第２の高さ位置に配設されてなり、前記負荷側端子は、Ｌ字状の形状に形成され、前記器体から突出する接続部である接続片と、接続片に直交し前記器体の前記一側面を外面とする周壁の内面に沿って配設される取付片とを備え、前記器体は、前記接点部および前記被覆電線が配設され且つ前記一側面の一部を外面とする第１の側壁に前記負荷側端子の並設方向において両側に配設される負荷側端子の接続片を外部に突出させる通孔が形成された前面開口のボディと、ボディの前面側に覆着され且つ前記負荷側端子の並設方向において中央に配設される負荷側端子を前記一側面の残りの部分を外面とする第２の側壁と前記第１の側壁との間で挟持するカバーとで構成され、前記ボディの第１の側壁には、前記負荷側端子の並設方向における両側の負荷側端子の各接続片をそれぞれ突出させるための通孔が形成され、前記カバーの前記第２の側壁と前記ボディの前記第１の側壁との突き合わせ面の少なくとも一方に前記負荷側端子の並設方向における中央の負荷側端子を外部に突出させるための切溝が形成され、前記両側の負荷側端子は、前記取付片の先端部が前方を向くように配設され、前記中央の負荷側端子は、前記取付片の先端部が後方を向くように配設されてなることを特徴とする回路遮断器。
【請求項２】
前記電源側端子は、端子ねじを用いて電線導体が端子板に接続されるねじ付き端子であって、前記器体は、前記複数の電源側端子が前記器体の前面側において前記一側面に直交する方向に並設されるとともに、隣り合う前記電源側端子間を絶縁する絶縁壁が形成され、且つ、前記電源側端子を上側として正面視右側に前記収納部を形成するとともに前記収納部の一部を前記電源側端子よりも上方へ延出してなることを特徴とする請求項１記載の回路遮断器。
【請求項３】
前記器体は、前記通孔の近傍において前記ボディの後壁から前方へ突出し前記第１の側壁との間に前記両側の各負荷側端子の取付片をそれぞれ挟持する第１のリブが突設され、前記各通孔は、前記ボディの後面から第１のリブの先端の高さ位置に少なくとも前記接続片の厚さを加えた位置までにわたって形成され、前記カバーは、前壁の後面から後方へ突出して前記ボディの前記第１の側壁の内面との間に前記並設方向における中央の負荷側端子の取付片を挟持する第２のリブが突設されるとともに、前壁の後面から前記両側の負荷側端子それぞれの取付片の先端まで延出する押え片が突設されてなることを特徴とする請求項１または請求項２記載の回路遮断器。
【発明の詳細な説明】
【０００１】
【発明の属する技術分野】
本発明は、分電盤内に配設される主幹用の回路遮断器に関するものである。
【０００２】
【従来の技術】
この種の回路遮断器を用いた分電盤として、特開平９−８４２２１号公報に記載のものがある。この公報に記載された分電盤は住宅用分電盤であって、図１１に示すように、主幹回路遮断器（主幹ブレーカ）Ａ’および複数の分岐回路遮断器（分岐ブレーカ）Ｂ’を前面開口した直方体状の箱体６０’に収納してある。箱体６０’は横長の直方体状の形状に形成されており、図１１における左側に主幹回路遮断器Ａ’が配設され、主幹回路遮断器Ａ’の右側に分岐回路遮断器Ｂ’が配設されている。
【０００３】
ところで、住宅用分電盤は、室内の壁面などに取り付けられるものであるが、近年では住宅内で使用される電気製品の増加により回路数も増加し住宅用分電盤の大型化が問題になってきており、室内の美観を損なわないように小型化が望まれている。そこで、図１１に示す構成の住宅用分電盤においては、箱体６０’を横長の直方体状の形状に形成して、正面視における主幹回路遮断器Ａ’の右側において複数の分岐回路遮断器Ｂ’を横方向に並設し、且つ、主幹回路遮断器Ａ’のハンドル２ａ’の操作方向と各分岐回路遮断器Ｂ’のハンドル２ｂ’の操作方向とをいずれも上下方向として、操作方向を揃えてある。このため、主幹回路遮断器Ａ’は、箱体６０’内に配設された状態で、端子ねじ（図示せず）を備えたねじ付き端子よりなる電源側端子３’が器体１’の上端部の前面側に位置し、端子ねじ４５を備えたねじ付き端子よりなる負荷側端子４’が器体１’の下端部の前面側に位置している。また、分岐回路遮断器Ｂ’は、左右方向に並設され、下端部に電源側端子が位置し、上端部に負荷側端子が位置しており、箱体６０’内において左右方向に沿って配設された導電バー（主幹バー）５１’，５２’，５３’に電源側端子が接続されている。
【０００４】
ここにおいて、主幹回路遮断器Ａ’の各負荷側端子４’，４’，４’は器体１’の下端部の前面側において左右方向に並設されているので、各負荷側端子４’，４’，４’は、それぞれ折曲形成された送りバー５４，５４，５４を介して各導電バー５１’，５２’，５３’と電気的に接続されている。すなわち、図１１に示した分電盤においては、主幹回路遮断器Ａ’の各負荷側端子４’，４’，４’に各送りバー５４，５４，５４の一端部を上記端子ねじ４５，４５，４５の締め付けによりそれぞれ接続し、各送りバー５４，５４，５４の他端部を固定ねじ５５，５５，５５の締め付けによって各導電バー５１’，５２’，５３’にそれぞれ接続してある。
【０００５】
【発明が解決しようとする課題】
ところで、上記従来構成の主幹回路遮断器Ａ’は、負荷側端子４’，４’，４’を分電盤内に配設される導電バー５１’，５２’，５３’と電気的に接続するために送りバー５４，５４，５４が必要であって、しかも負荷側端子４’，４’，４’に送りバー５４，５４，５４の一端部を端子ねじ４５，４５，４５の締め付けにより接続し、さらに送りバー５４，５４，５４の他端部を固定ねじ５５，５５，５５の締め付けにより接続する必要あり、ねじ締付け作業が煩わしく導電バー５１’，５２’，５３’との接続に手間がかかるという不具合があった。また、ねじ締付箇所が多くなると、ねじ締付箇所の緩みに起因した発熱が起こる可能性が高くなるという不具合があった。
【０００６】
本発明は上記事由に鑑みて為されたものであり、その目的は、分電盤内の内器の電路として用いる導電バーとの接続が容易でねじ締め付け箇所の緩みに起因した発熱の可能性を少なくできる回路遮断器を提供することにある。
【０００７】
【課題を解決するための手段】
請求項１の発明は、上記目的を達成するために、器体に露設された複数の電源側端子および複数の負荷側端子を有し、電源側端子と負荷側端子との間の各電路にそれぞれ介挿された複数の接点部が器体内に収納されるとともに、接点部を開閉操作可能なハンドルが器体の前面側に露設され、分電盤内に配設される回路遮断器であって、前記負荷側端子は、前記器体から一体に突出する形で配置され、且つ、分電盤内の内器の電路として用いる導電バーとの接続部を有することを特徴とするものであり、負荷側端子が、前記器体から一体に突出する形で配置され、且つ、分電盤内の内器の電路として用いる導電バーとの接続部を有するので、負荷側端子と導電バーとの間に従来のような送りバーを介在させることなく直接接続することができるから、前記接続部と前記導電バーとの接続を端子ねじの締め付けにより行うようにしても従来に比べてねじ締め付け箇所を少なくできて、導電バーとの接続が容易になり、また、ねじ締め付け箇所の緩みに起因した発熱の可能性を少なくできる。
【０００８】
また、前記各負荷側端子は、前記電源側端子と前記ハンドルとの配列方向が上下方向となり前記ハンドルの操作方向が当該上下方向に沿うように前記分電盤内に配設したときに前記器体において前記導電バーの長手方向に直交する一側面から突出されているので、主幹回路遮断器として用い前記負荷側端子と前記導電バーとを直接接続すると、前記導電バーが前記ハンドルの開閉操作方向に対して直交する方向に延出することになるから、前記ハンドルの操作方向を前記導電バーに接続される分岐回路遮断器のハンドルの操作方向と揃えることができ、分電盤内に配設した状態での見栄えを良くすることができる。
【０００９】
また、前記器体は、前記一側面に沿って形成され且つ前記電源側端子および前記接点部から隔壁により隔離された収納部を有し、前記負荷側端子の一部が前記収納部に収納されているので、前記電源側端子および前記接点部それぞれと前記負荷側端子とを隔壁により絶縁することができ、また、前記負荷側端子を前記接点部が収納される空間とは別の収納部に収納するから、前記負荷側端子の収納作業が容易になる。
【００１１】
また、前記負荷側端子と前記各接点部とをそれぞれ電気的に接続する複数の被覆電線を備え、前記各被覆電線は前記収納部に収納されているので、前記収納部に被覆電線を配設し、この被覆電線を前記負荷側端子に接続していることにより、前記収納部を小さくすることができ、コンパクト化が図れる。
【００１２】
また、前記電源側端子と前記負荷側端子と前記接点部との組が３組設けられ、前記各負荷側端子の各接続部は、正面視において前記電源側端子の並設方向に直交する方向に並設され、且つ、前記器体の前方向を高さ方向とするとき正面視において隣り合う接続部が異なる高さ位置に配設されているので、各極の接続部間の絶縁間隔を長くすることができる。
【００１３】
また、前記電源側端子の並設方向において中央に配設された電源側端子に対応付けされた負荷側端子の接続部は、前記負荷側端子の並設方向における中央の位置であって前記高さ方向における第１の高さ位置に配設され、前記電源側端子の並設方向において両側に配設された電源側端子にそれぞれ対応付けされた各負荷側端子の接続部は、前記負荷側端子の並設方向における両側の位置であって前記高さ方向における第１の高さ位置よりも低い第２の高さ位置に配設されているので、単層三線式配線路に使用する場合、前記第１の高さ位置に接続部が配設される負荷側端子を中性極とし、前記第２の高さ位置に接続部が配設される２つの負荷側端子を電圧極とすることで中性極の接続部と電圧極の接続部とが触れるのを防ぐことができ、また、前記負荷側端子の並設方向における両側の負荷側端子が同一高さ位置に配設されていることにより、見栄えが良くなる。
【００１４】
また、前記負荷側端子は、Ｌ字状の形状に形成され、前記器体から突出する接続部である接続片と、接続片に直交し前記器体の前記一側面を外面とする周壁の内面に沿って配設される取付片とを備え、前記器体は、前記接点部および前記被覆電線が配設され且つ前記一側面の一部を外面とする第１の側壁に前記負荷側端子の並設方向において両側に配設される負荷側端子の接続片を外部に突出させる通孔が形成された前面開口のボディと、ボディの前面側に覆着され且つ前記負荷側端子の並設方向において中央に配設される負荷側端子を前記一側面の残りの部分を外面とする第２の側壁と前記第１の側壁との間で挟持するカバーとで構成され、前記ボディの第１の側壁には、前記負荷側端子の並設方向における両側の負荷側端子の各接続片をそれぞれ突出させるための通孔が形成され、前記カバーの前記第２の側壁と前記ボディの前記第１の側壁との突き合わせ面の少なくとも一方に前記負荷側端子の並設方向における中央の負荷側端子を外部に突出させるための切溝が形成され、前記両側の負荷側端子は、前記取付片の先端部が前方を向くように配設され、前記中央の負荷側端子は、前記取付片の先端部が後方を向くように配設されているので、前記負荷側端子をねじなどの固定具を用いることなく前記器体に配設することができて、前記各負荷側端子の取付片が前記ボディの前記第１の側壁の内面に当接して前記各負荷側端子が外部へ抜けるのを防止することができ、また、前記複数の負荷側端子に同一形状のものを使用することができ、前記負荷側端子の製造および管理が容易になるとともに組立作業が容易になって低コスト化を図ることができる。
請求項２の発明は、請求項１の発明において、前記電源側端子は、端子ねじを用いて電線導体が端子板に接続されるねじ付き端子であって、前記器体は、前記複数の電源側端子が前記器体の前面側において前記一側面に直交する方向に並設されるとともに、隣り合う前記電源側端子間を絶縁する絶縁壁が形成され、且つ、前記電源側端子を上側として正面視右側に前記収納部を形成するとともに前記収納部の一部を前記電源側端子よりも上方へ延出してあるので、前記電源側端子を上側として前記電源側端子に電線導体をねじ締め接続する場合に一番右側の前記電源側端子への電線導電の接続時の力を前記収納部で吸収することができ、前記一番右側の電源側端子の右側の壁の厚みを比較的薄くしても当該壁の先端部が折損するのを防ぐことができる。
【００１５】
請求項３の発明は、請求項１または請求項２の発明において、前記器体は、前記通孔の近傍において前記ボディの後壁から前方へ突出し前記第１の側壁との間に前記両側の各負荷側端子の取付片をそれぞれ挟持する第１のリブが突設され、前記各通孔は、前記ボディの後面から第１のリブの先端の高さ位置に少なくとも前記接続片の厚さを加えた位置までにわたって形成され、前記カバーは、前壁の後面から後方へ突出して前記ボディの前記第１の側壁の内面との間に前記並設方向における中央の負荷側端子の取付片を挟持する第２のリブが突設されるとともに、前壁の後面から前記両側の負荷側端子それぞれの取付片の先端まで延出する押え片が突設されているので、組立時において、両側の負荷側端子は前記第１の側壁の内面側から接続片を通孔に挿通させて接続片を前記ボディの底壁に近づける向きにずらし、中央の負荷側端子の接続片を前記第１の側壁における前記切溝に対応した部位に載置した状態で前記ボディに前記カバーを覆着すれば、両側の負荷側端子は第１のリブにより内方への移動が防止され且つ前記カバーの押え片により前方への移動が防止されて位置決めされ、また、中央の負荷側端子は第２のリブで内方への移動が防止されて位置決めされるから、各負荷側端子それぞれに前記導電バーを接続する作業が容易になる。
【００１６】
【発明の実施の形態】
まず、本発明に係る回路遮断器を主幹回路遮断器として備えた住宅用分電盤について図１を参照しながら説明する。図１に示す構成の住宅用分電盤は、１つの主幹回路遮断器Ａと複数の分岐回路遮断器Ｂが箱体６０の中に配置されている。なお、図１に示す構成の住宅用分電盤においては、２４個の分岐回路遮断器Ｂを上下２列に分けて各列ごとに１２個の分岐回路遮断器Ｂを並設してある。
【００１７】
箱体６０は、外周形状が矩形状に形成された底板６１の外周縁の全周に亘って周壁６２が前方に突設された形状に形成され、底板６１の中央部には矩形状に開口した開口窓６３が形成されている。底板６１には左右２個ずつの支持台（図示せず）が前方に突設されている。両支持台の周囲にはそれぞれ断面Ｌ字状であって矩形領域の角部をなすように配列されたガイド壁６５ａ，６５ｂが形成されている。上側の支持台には下方に隣接して底板６１からの突出寸法が当該支持台よりもやや大きい抜止ボス６６が形成されている。また、下側の支持台の周囲に設けたガイド壁６５ｂの前端面には下半分程度の受け片６７が連続一体に形成されている。ここに、底板６１から受け片６７までの距離は底板６１から支持台の先端面までの距離よりもやや大きく設定されている。
【００１８】
底板６１における開口窓６３の周縁は全周に亘って前方に突出する補強突条６８を形成しており、補強突条６８により開口窓６３の周部が補強されている。つまり、比較的大面積である開口窓６３を形成しながらも、補強突条６８により剛性を保つことができる。
【００１９】
箱体６０に形成した右側の支持台と左側の支持台との間には、主幹回路遮断器Ａや分岐回路遮断器Ｂなどの内器を取り付けるための架台７０が架設されている。架台７０は、全体としては矩形状の平面形状をなし、四隅にそれぞれ設けた支持片７１ａ，７１ｂのうち図１における右側の２つ支持片７１ｂ，７１ｂがそれぞれ箱体６０の底板６１から突設された支持台に載置されるとともに、図１における左側の２つの支持片７１ａ，７１ａが底板６１から突設された支持台に載置され、右側の支持台に螺入される取付ねじ７２を用いて右端部が箱体６０に固定され、左側の支持台に螺入される取付ねじ７２を用いて左端部が箱体６０に固定される。ここに、各支持片７１ａ，７１ｂには取付ねじ７２の頭部の直径よりも大きい丸孔状の大径部の上縁の一部に取付ねじ７２の直径よりも幅狭の溝部が連続する鍵穴状に形成された取付孔７３が形成されている。したがって、取付ねじ７２を支持台の固定孔（図示せず）に緩く螺入した状態で、取付ねじ７２の頭部に取付孔７３の大径部を通し、取付ねじ７２の頭部を溝部に対応する部位までスライドさせた後に取付ねじ７２を締め付けるようにすることによって、箱体６０への架台７０の取付作業を容易に行うことができる。また、上述したように支持台の周囲にはガイド壁６５ａ，６５ｂが形成されているから、架台７０の取付位置をガイド壁６５ａ，６５ｂに合わせることで位置決めが容易にでき、その上、下側のガイド壁６５ｂ，６５ｂには受け片６７，６７が形成されているから、下側の支持片７１ｂ，７１ａの一部を受け片６７，６７の後面側に重複させることで、取付ねじ７２が外れても受け片６７，６７で架台７０の荷重を受けることができる。さらに、取付孔７３の溝部に取付ねじ７２を挿入した状態では、取付孔７３の大径部に抜止ボス６６，６６が挿入されるように抜止ボス６６，６６の位置が設定されており、取付ねじ７２を締め付けた後には、支持片７１ｂ，７１ａは箱体６０に対して回り止めされることになる。また、抜止ボス６６，６６が取付孔７３の大径部に挿入されることによって、取付ねじ７２が多少緩んでも支持片７１ｂ，７１ａのがたつきが禁止される。例えば、地震などの外部振動によって取付ねじ７２に経年的な緩みが多少生じたとしても、箱体６０に対して架台７０が移動したり脱落したりするのを防止することができる。
【００２０】
ところで、上述の分岐回路遮断器Ｂは、架台７０において左右方向に沿って配設された導電バー５１，５２，５３に電源側端子が接続され器体の前面側に設けたハンドル２ｂの操作方向が上下方向となるように配設されている。すなわち、上下２列のうち上列の分岐回路遮断器Ｂは、下端部に電源側端子（図示せず）が設けられ、上端部に負荷側端子（図示せず）が設けられており、下列の分岐回路遮断器Ｂは、上端部に電源側端子（図示せず）が設けられ、下端部に負荷側端子が設けられている。
【００２１】
以下、主幹回路遮断器Ａについて図１ないし図１０を参照しながら説明する。
【００２２】
本実施形態の主幹回路遮断器Ａは、直方体状に形成された合成樹脂製の器体１を有し、器体１の上端部には端子台３０が形成されており、端子台３０にはそれぞれ端子ねじ３１を有したねじ付き端子よりなる３つの電源側端子（入力端子）３，３，３が左右方向に並設されている。端子台３０は、隣り合う電源側端子３，３間を絶縁する絶縁壁３５が形成されている。また、器体１の上端部の右端部から上方へ端子取付部１０（図２参照）が連続一体に突出しており、端子取付部１０の右側面１ａから負荷側端子（出力端子）４，４，４が突出する形で配置されている。要するに、器体１には、３つの電源側端子３，３，３と３つの負荷側端子４，４，４とが露設されている。ここにおいて、電源側端子３，３，３と負荷側端子４，４，４とは１対１で対応付けされており、電源側端子３，３，３にはそれぞれ電線導体（図示せず）が接続され、負荷側端子４，４，４にはそれぞれ導電バー５１，５２，５３が端子ねじ４３，４３，４３を用いて接続される。
【００２３】
なお、電源側端子３，３，３に電線導体をねじ締め接続する場合、締付け力を受けて電線導体が当たるのは左側および中央の電源側端子３，３の右側の壁としての絶縁壁３５，３５であり、絶縁壁３５，３５を厚くすればよいが、一番右側の電源側端子３の右側の壁となる隔壁２７（図３参照）は端子台３０の一番左側の壁と同一の厚みで形成されており、電線導体の締付け接続時に隔壁２７が先端から折損する恐れがある。しかしながら、本実施形態においては、隔壁２７の右側には内部空洞の収納部１５が形成されているので、電線導体の接続時の力を収納部１５で吸収することができ、隔壁２７が折損する恐れを少なくすることができる。また、収納部１５の一部は上述の端子取付部１０の内部にわたって形成されている。要するに、収納部１５の一部が電源側端子３，３，３よりも上方へ突出しているので、電線導体を電源側端子３，３，３に接続するときのスペースを十分取ることができ、電線導体を電源側端子３，３，３に接続する作業が容易となる。
【００２４】
また、主幹回路遮断器Ａの器体１内には、器体１の幅方向（図１における左右方向）に並設された３つの接点部２６，２６，２６（図３および図５参照）と、トリップ機構５と、接点部２６，２６，２６が介挿された電路に異常電流が流れたときに接点部２６，２６，２６を強制的に開極させるようにトリップ機構５を作動させる引外し装置６，６とが収納されており、３極の接点部２６，２６，２６を器体１の前面に露設した単一のハンドル２ａによって開閉操作可能としてある。
【００２５】
主幹回路遮断器の器体１は、前面が開放されたボディ１１と、ボディ１１の前面側に覆着されるカバー１２とから構成されている。ボディ１１は、ボディ１１の内部空間を各極毎に区分けする絶縁壁２８（図３参照）が形成されており、隣り合う接点部２６，２６間の絶縁を図っている。
【００２６】
接点部２６は、電源側端子３，３，３の端子板３１，３１，３１の下端縁から延設されたＬ字状の接点保持片３３，３３，３３の先端部に固着された固定接点２１，２１，２１と、導電性金属により短冊状に形成された可動接触子２５，２５，２５の長手方向の一端部に固着され固定接点２１，２１，２１に離接する可動接点２２，２２，２２とで構成される。各可動接触子２５，２５，２５は、それぞれ被覆電線７，７，７を介して上述の負荷側端子４，４，４に接続されている。したがって、主幹回路遮断器Ａは、器体１の上部前面に露設した電源側端子３と器体１の右側面に露設した負荷側端子４との間に、電源側端子３−固定接点２１−可動接点２２−被覆電線７−負荷側端子４の経路の電路が３路形成されている。ここにおいて、被覆電線７，７，７は、器体１の下面および右側面に沿って器体１内に形成されたＬ字状の収納部１５内で引き回してある。要するに、被覆電線７，７，７の一部は収納部１５に配設されている。ここにおいて、器体１における収納部１５は、電源側端子３，３，３および接点部２６，２６，２６から隔壁２７により隔離されており、負荷側端子４，４，４の一部が収納部１５に収納されているので、電源側端子３，３，３および接点部２６，２６，２６それぞれと負荷側端子４，４，４とを隔壁２７により絶縁することができ、また、負荷側端子４，４，４を接点部２６，２６，２６が収納される空間とは別の収納部１５に収納するから、収納部１５への負荷側端子４，４，４の収納作業が容易になる。
【００２７】
ハンドル２ａは、器体１の前面に開口する窓孔２９（図５参照）を通して起伏する操作部８（図５参照）を有している。ハンドル２ａは、操作部８が窓孔２９の開口面と略面一になる位置と、操作部８が窓孔２９から突出する位置との間で起伏自在になっている。
【００２８】
ここに、本実施形態の主幹回路遮断器Ａでは、ハンドル２ａの操作部８を倒して窓孔２９の開口面と略面一にした状態ではトリップ機構５がセットされ接点部２６が閉極状態に保たれており、閉極状態からハンドル２ａを図５のように起こして窓孔２９から突出させると、可動接点２２が固定接点２１から離れて開極する。すなわち、ハンドル２ａの操作部８を起こすことによって開極状態になる。また、上述の閉極状態において、引き外し装置６を通して異常電流が流れるとトリップ機構５によって接点部２６が開極する。なお、ハンドル２ａの操作部８を起伏動作させたとき、操作部８の先端部の位置は上下方向における高さ位置が変位するので、器体１を正面視した場合には、ハンドル２ａの開閉操作方向を上下方向とみなすことができる。したがって、各負荷側端子４，４，４は、電源側端子３，３，３とハンドル２ａとの配列方向が上下方向となりハンドル２ａの操作方向が当該上下方向に沿うように分電盤内に配設したときに器体１において上述の導電バー５１，５２，５３の長手方向に直交する右側面１ａから突出されているので、負荷側端子４，４，４と導電バー５１，５２，５３とを直接接続することにより、導電バー５１，５２，５３がハンドル２ａの開閉操作方向に対して直交する方向に延出することになるから、ハンドル２ａの操作方向を導電バー５１，５２，５３に接続される分岐回路遮断器Ｂのハンドル２ｂの操作方向と揃えることができ、分電盤内に配設した状態での見栄えを良くすることができる。
【００２９】
ところで、本実施形態の主幹回路遮断器Ａは、上述のように３つの負荷側端子４，４，４が合成樹脂製の器体１の右側面１ａから一体に突設されている。各負荷側端子４，４，４は、Ｌ字状に形成されており、器体１から突出する接続片４１，４１，４１と、接続片４１，４１，４１に直交し器体１の右側面を外面とする周壁の内面に沿って配設される取付片４２，４２，４２とを備えている。ここにおいて、取付片４２，４２，４２にはそれぞれ上述の被覆電線７，７，７が接続されている。また、接続片４１，４１，４１には、端子ねじ４３，４３，４３（図１参照）が挿通される挿通孔４１ａ，４１ａ，４１ａが形成されており、端子ねじ４３，４３，４３を用いて導電バー５１，５２，５３と接続できる。すなわち、接続片４１，４１，４１を導電バー５１，５２，５３に重ね合わせた状態で端子ねじ４３，４３，４３を挿通孔４１ａ，４１ａ，４１ａに挿通させ導電バー５１，５２，５３のねじ孔（図示せず）に螺入すると、負荷側端子４，４，４と導電バー５１，５２，５３とを機械的および電気的に接続することができる。要するに、本実施形態の主幹回路遮断器Ａにおける負荷側端子４，４，４は上記従来構成における負荷側端子４’，４’４’の機能と送りバー５４，５４，５４の機能とを併せ持っている。なお、本実施形態では、接続片４１，４１，４１が導電バー５１，５２，５３との接続部を構成している。
【００３０】
また、各負荷側端子４，４，４の各接続片４１，４１，４１は、正面視において電源側端子３，３，３の並設方向に直交する方向に並設され、且つ、器体１の前方向（図４における左方向）を高さ方向とするとき正面視において隣り合う接続片４１が異なる高さ位置に配設されているので、各極の接続片４１間の絶縁間隔を長くすることができる。ここに、電源側端子３，３，３の並設方向において中央に配設された電源側端子３に対応付けされた負荷側端子４の接続片４１は、負荷側端子４，４，４の並設方向における中央の位置であって上記高さ方向における第１の高さ位置に配設され、電源側端子４，４，４の並設方向において両側に配設された電源側端子４，４にそれぞれ対応付けされた各負荷側端子３，３、の接続片４１，４１は、負荷側端子４，４，４の並設方向における両側の位置であって上記高さ方向における第１の高さ位置よりも低い第２の高さ位置に配設されているので、本実施形態のような単層三線式配線路に使用する場合、上記第１の高さ位置に接続片４１が配設される負荷側端子４を中性極とし、上記第２の高さ位置に接続片４１が配設される２つの負荷側端子４，４を電圧極とすることで中性極の接続片４１と電圧極の接続片４１とが触れるのを防ぐことができ、また、負荷側端子４，４，４の並設方向における両側の負荷側端子４，４が同一高さ位置に配設されていることにより、見栄えが良くなる。
【００３１】
ところで、器体１における上述の右側面１ａの一部を外面とするボディ１１の第１の側壁に、負荷側端子４の接続片４１を外部に突出させる通孔１６，１６が形成され、上述の右側面の残りの部分を外面とするカバー１２の第２の側壁とボディ１１の第１の側壁との突き合わせ面の少なくとも一方（図示例ではカバー２２の第２の側壁）に負荷側端子４，４，４の並設方向における中央の負荷側端子４を外部に突出させるための切溝１４（図７および図９参照）が形成され、両側の負荷側端子４，４は、取付片４１の先端部が前方を向くように配設され、中央の負荷側端子４は、取付片４１の先端部が後方を向くように配設されている（図６参照）。したがって、負荷側端子４，４，４をねじなどの固定具を用いることなく器体１に配設することができて、各負荷側端子４，４，４の取付片４１，４１，４１がボディ１１の上記第１の側壁の内面に当接して各負荷側端子４，４，４が外部へ抜けるのを防止することができ、また、全ての負荷側端子４，４，４に同一形状のものを使用することができ、負荷側端子４，４，４の製造および管理が容易になるとともに組立作業が容易になって低コスト化を図ることができる。
【００３２】
ここにおいて、器体１は、各通孔１６，１６の近傍においてボディ１１の後壁から前方へ突出し上記第１の側壁との間に上記両側の各負荷側端子４，４の取付片４１，４１をそれぞれ挟持する第１のリブ１８，１８が突設されている。また、各通孔１６，１６は、ボディ１１の後面から第１のリブ１８，１８の先端の高さ位置に少なくとも接続片４１，４１の厚さを加えた位置までにわたって形成され、カバー１２は、前壁の後面から後方へ突出してボディ１１の上記第１の側壁の内面との間に上記並設方向における中央の負荷側端子４の取付片４２を挟持する第２のリブ１９が突設されるとともに、前壁の後面から両側の負荷側端子４，４それぞれの取付片４２，４２の先端まで延出する押え片２０，２０が突設されている。
【００３３】
したがって、組立時において、両側の負荷側端子４，４は、図１０に示すように上記第１の側壁の内面側から接続片４１を通孔１６に挿通させ（図１０における左側から右側へ挿通させ）、取付片４２が図１０において第１のリブ１８よりも右側にくるまで挿通し、その後、接続片４１をボディ１１の底壁に近づける向きにずらし、中央の負荷側端子４の接続片４１を上記第１の側壁における切溝１４に対応して突出した部位である突起１３に載置した状態でボディ１１にカバー１２を覆着すれば、両側の負荷側端子４，４は第１のリブ１８，１８により内方への移動が防止され且つカバー１２の押え片２０，２０により前方への移動が防止されて位置決めされ、また、中央の負荷側端子４は第２のリブ１９で内方への移動が防止されて位置決めされるから、各負荷側端子４，４，４それぞれに導電バー５１，５２，５３を接続する作業が容易になる。なお、ボディ１１における上記第１の側壁の内面には、通孔１６，１６それぞれの周部に取付片４２，４２の外周形状に沿った形状に形成されて取付片４２，４２を位置決めするガイド壁１７，１７が突設されており、各取付片４２，４２の一部は通孔１６，１６の開口周縁に重複している。
【００３４】
しかして、本実施形態の主幹回路遮断器Ａでは、負荷側端子４，４，４が、器体１から一体に突出する形で配置され、且つ、分電盤内の内器の電路として用いる導電バー５１，５２，５３との接続部を有するので、負荷側端子４，４，４と導電バー５１，５２，５３との間に従来のような送りバー５４，５４，５４を介在させることなく直接接続することができるから従来に比べてねじ締め付け箇所を少なくできて、導電バー５１，５２，５３との接続が容易になり、また、ねじ締め付け箇所の緩みに起因した発熱の可能性を少なくできる。
【００３５】
【発明の効果】
請求項１の発明は、器体に露設された複数の電源側端子および複数の負荷側端子を有し、電源側端子と負荷側端子との間の各電路にそれぞれ介挿された複数の接点部が器体内に収納されるとともに、接点部を開閉操作可能なハンドルが器体の前面側に露設され、分電盤内に配設される回路遮断器であって、前記負荷側端子は、前記器体から一体に突出する形で配置され、且つ、分電盤内の内器の電路として用いる導電バーとの接続部を有するものであり、負荷側端子が、前記器体から一体に突出する形で配置され、且つ、分電盤内の内器の電路として用いる導電バーとの接続部を有するので、負荷側端子と導電バーとの間に従来のような送りバーを介在させることなく直接接続することができるから、前記接続部と前記導電バーとの接続を端子ねじの締め付けにより行うようにしても従来に比べてねじ締め付け箇所を少なくできて、導電バーとの接続が容易になるという効果があり、また、ねじ締め付け箇所の緩みに起因した発熱の可能性を少なくできるという効果がある。
【００３６】
また、前記各負荷側端子は、前記電源側端子と前記ハンドルとの配列方向が上下方向となり前記ハンドルの操作方向が当該上下方向に沿うように前記分電盤内に配設したときに前記器体において前記導電バーの長手方向に直交する一側面から突出されているので、主幹回路遮断器として用い前記負荷側端子と前記導電バーとを直接接続すると、前記導電バーが前記ハンドルの開閉操作方向に対して直交する方向に延出することになるから、前記ハンドルの操作方向を前記導電バーに接続される分岐回路遮断器のハンドルの操作方向と揃えることができ、分電盤内に配設した状態での見栄えを良くすることができるという効果がある。
【００３７】
また、前記器体は、前記一側面に沿って形成され且つ前記電源側端子および前記接点部から隔壁により隔離された収納部を有し、前記負荷側端子の一部が前記収納部に収納されているので、前記電源側端子および前記接点部それぞれと前記負荷側端子とを隔壁により絶縁することができ、また、前記負荷側端子を前記接点部が収納される空間とは別の収納部に収納するから、前記負荷側端子の収納作業が容易になるという効果がある。
【００３９】
また、前記負荷側端子と前記各接点部とをそれぞれ電気的に接続する複数の被覆電線を備え、前記各被覆電線は前記収納部に収納されているので、前記収納部に被覆電線を配設し、この被覆電線を前記負荷側端子に接続していることにより、前記収納部を小さくすることができ、コンパクト化が図れるという効果がある。
【００４０】
また、前記電源側端子と前記負荷側端子と前記接点部との組が３組設けられ、前記各負荷側端子の各接続部は、正面視において前記電源側端子の並設方向に直交する方向に並設され、且つ、前記器体の前方向を高さ方向とするとき正面視において隣り合う接続部が異なる高さ位置に配設されているので、各極の接続部間の絶縁間隔を長くすることができるという効果がある。
【００４１】
また、前記電源側端子の並設方向において中央に配設された電源側端子に対応付けされた負荷側端子の接続部は、前記負荷側端子の並設方向における中央の位置であって前記高さ方向における第１の高さ位置に配設され、前記電源側端子の並設方向において両側に配設された電源側端子にそれぞれ対応付けされた各負荷側端子の接続部は、前記負荷側端子の並設方向における両側の位置であって前記高さ方向における第１の高さ位置よりも低い第２の高さ位置に配設されているので、単層三線式配線路に使用する場合、前記第１の高さ位置に接続部が配設される負荷側端子を中性極とし、前記第２の高さ位置に接続部が配設される２つの負荷側端子を電圧極とすることで中性極の接続部と電圧極の接続部とが触れるのを防ぐことができ、また、前記負荷側端子の並設方向における両側の負荷側端子が同一高さ位置に配設されていることにより、見栄えが良くなるという効果がある。
【００４２】
また、前記負荷側端子は、Ｌ字状の形状に形成され、前記器体から突出する接続部である接続片と、接続片に直交し前記器体の前記一側面を外面とする周壁の内面に沿って配設される取付片とを備え、前記器体は、前記接点部および前記被覆電線が配設され且つ前記一側面の一部を外面とする第１の側壁に前記負荷側端子の並設方向において両側に配設される負荷側端子の接続片を外部に突出させる通孔が形成された前面開口のボディと、ボディの前面側に覆着され且つ前記負荷側端子の並設方向において中央に配設される負荷側端子を前記一側面の残りの部分を外面とする第２の側壁と前記第１の側壁との間で挟持するカバーとで構成され、前記ボディの第１の側壁には、前記負荷側端子の並設方向における両側の負荷側端子の各接続片をそれぞれ突出させるための通孔が形成され、前記カバーの前記第２の側壁と前記ボディの前記第１の側壁との突き合わせ面の少なくとも一方に前記負荷側端子の並設方向における中央の負荷側端子を外部に突出させるための切溝が形成され、前記両側の負荷側端子は、前記取付片の先端部が前方を向くように配設され、前記中央の負荷側端子は、前記取付片の先端部が後方を向くように配設されているので、前記負荷側端子をねじなどの固定具を用いることなく前記器体に配設することができて、前記各負荷側端子の取付片が前記ボディの前記第１の側壁の内面に当接して各負荷側端子が外部へ抜けるのを防止することができ、また、前記複数の負荷側端子に同一形状のものを使用することができ、前記負荷側端子の製造および管理が容易になるとともに組立作業が容易になって低コスト化を図ることができるという効果がある。
請求項２の発明は、請求項１の発明において、前記電源側端子は、端子ねじを用いて電線導体が端子板に接続されるねじ付き端子であって、前記器体は、前記複数の電源側端子が前記器体の前面側において前記一側面に直交する方向に並設されるとともに、隣り合う前記電源側端子間を絶縁する絶縁壁が形成され、且つ、前記電源側端子を上側として正面視右側に前記収納部を形成するとともに前記収納部の一部を前記電源側端子よりも上方へ延出してあるので、前記電源側端子を上側として前記電源側端子に電線導体をねじ締め接続する場合に一番右側の前記電源側端子への電線導電の接続時の力を前記収納部で吸収することができ、前記一番右側の電源側端子の右側の壁の厚みを比較的薄くしても当該壁の先端部が折損するのを防ぐことができるという効果がある。
【００４３】
請求項３の発明は、請求項１または請求項２の発明において、前記器体は、前記通孔の近傍において前記ボディの後壁から前方へ突出し前記第１の側壁との間に前記両側の各負荷側端子の取付片をそれぞれ挟持する第１のリブが突設され、前記各通孔は、前記ボディの後面から第１のリブの先端の高さ位置に少なくとも前記接続片の厚さを加えた位置までにわたって形成され、前記カバーは、前壁の後面から後方へ突出して前記ボディの前記第１の側壁の内面との間に前記並設方向における中央の負荷側端子の取付片を挟持する第２のリブが突設されるとともに、前壁の後面から前記両側の負荷側端子それぞれの取付片の先端まで延出する押え片が突設されているので、組立時において、両側の負荷側端子は前記第１の側壁の内面側から接続片を通孔に挿通させて接続片を前記ボディの底壁に近づける向きにずらし、中央の負荷側端子の接続片を前記第１の側壁における前記切溝に対応した部位に載置した状態で前記ボディに前記カバーを覆着すれば、両側の負荷側端子は第１のリブにより内方への移動が防止され且つ前記カバーの押え片により前方への移動が防止されて位置決めされ、また、中央の負荷側端子は第２のリブで内方への移動が防止されて位置決めされるから、各負荷側端子それぞれに前記導電バーを接続する作業が容易になるという効果がある。
【図面の簡単な説明】
【図１】本発明の回路遮断器を主幹回路遮断器として配設した住宅用分電盤の正面図である。
【図２】同上における主幹回路遮断器の正面図である。
【図３】同上における主幹回路回路遮断器のカバーを取り外した状態の正面図である。
【図４】同上における主幹回路遮断器の右側面図である。
【図５】同上における主幹回路遮断器の断面図である。
【図６】同上における主幹回路遮断器の一部破断した右側面図である。
【図７】同上における主幹回路遮断器の要部分解斜視図である。
【図８】同上における主幹回路遮断器の要部断面図である。
【図９】同上における主幹回路遮断器の要部断面図である。
【図１０】同上における主幹回路遮断器の組立方法の説明図である。
【図１１】従来の住宅用分電盤の正面図である。
【符号の説明】
１  器体
３  電源側端子
４  負荷側端子
１０  端子取付部
３０  端子台
４１  接続片
４３  端子ねじ
５１  導電バー
５２  導電バー
５３  導電バー
Ａ  主幹回路遮断器
Ｂ  分岐回路遮断器
【図１】
0003661581.tif 000002
【図２】
0003661581.tif 000003
【図３】
0003661581.tif 000004
【図４】
0003661581.tif 000005
【図５】
0003661581.tif 000006
【図６】
0003661581.tif 000007
【図７】
0003661581.tif 000008
【図８】
0003661581.tif 000009
【図９】
0003661581.tif 000010
【図１０】
0003661581.tif 000011
【図１１】
0003661581.tif 000012